(57)【要約】      （修正有）【課題】使用者の頭及び首の体勢を良好にし、かつ頚部をストレッチさせることができるストレッチ枕を提供する。【解決手段】それぞれ底面及び傾斜面を備える略同一形状の３つの支持部３を具備し、前記３つの支持部が、それぞれの前記底面を面一とし、それぞれの前記傾斜面の傾斜方向を略平行とし、隣接する前記支持部の傾斜の向きが異なるように配置されていること、を特徴とするストレッチ枕１。【選択図】図１
2020121195.tif 000002
【特許請求の範囲】
【請求項１】
それぞれ底面及び傾斜面を備え、前記底面及び前記傾斜面を接続する略垂直な立設面を有する略同一形状の３つの支持部を具備し、
前記３つの支持部が、直接的又は間接的に接続されて一体的に構成されており、
前記３つの支持部が、前記３つの支持部が、それぞれの前記底面を面一とし、それぞれの前記傾斜面の傾斜方向を略平行とし、隣接する前記支持部の傾斜の向きが異なるように配置されており、
前記傾斜面の前記底面に対する角度が５度〜１５度であり、
を特徴とするストレッチ枕。
【請求項２】
前記底面が、２つの長辺及び２つの短辺を有する略矩形形状であり、前記３つの支持部が、前記短辺方向に延びる略三角柱体であること、
を特徴とする請求項１に記載のストレッチ枕。
【請求項３】
前記底面の長辺寸法及び短辺寸法がそれぞれ３０〜４５ｃｍ及び２３ｃｍ〜２４ｃｍであり、前記底面と前記傾斜面の最大離隔距離が５ｃｍ〜６ｃｍであること、
を特徴とする請求項１又は２に記載のストレッチ枕。
【発明の詳細な説明】
【技術分野】
【０００１】
本発明は、使用者の頭及び首の体勢を良好にし、かつ頚部をストレッチさせるストレッチ枕に関する。
【背景技術】
【０００２】
従来、寝具は主に就寝時の体温調整を良好にすること、を目的として一般的に使用されてきたが、生活レベルの相対的な向上に伴って、より良質な睡眠の提供を可能とする寝具が求められるようになってきている。  
特に、人体を支持する枕やマットは、寝姿勢に大きな影響を与えるため、素材、形状、及び構造に至るまで、種々工夫を凝らした製品の提供が進んでいる。一部には、特許文献１（実用新案登録第３２１１０７５号公報）に開示されているような頭部の支持高さの調整を可能とする健康枕が存在し、寝姿勢を最適化することが可能であるとされている。
【先行技術文献】
【特許文献】
【０００３】
【特許文献１】実用新案登録第３２１１０７５号公報
【発明の概要】
【発明が解決しようとする課題】
【０００４】
寝姿勢に関する最近の研究によって、良好な立位姿勢の頭及び首の体勢を寝姿勢で再現すること、及び適度に首を側方に屈伸させてストレッチすること、が健康に好適な影響を与えるということがわかってきているが、従来の枕では頭部のみの支持を目的とした構造が採用されているため、当該枕が可能とする範囲で支持高さの調整を行ったとしても、首の姿勢を良好に導くことができなかった。
【０００５】
そこで、本発明の目的は、上記問題に鑑みてなされたものであり、使用者の頭及び首の体勢を良好にし、かつ頚部をストレッチさせることができるストレッチ枕を提供することにある。
【課題を解決するための手段】
【０００６】
上記の課題を解決すべく、本発明は、
それぞれ底面及び傾斜面を備える略同一形状の３つの支持部を具備し、
前記３つの支持部が、それぞれの前記底面を面一とし、それぞれの前記傾斜面の傾斜方向を略平行とし、隣接する前記支持部の傾斜の向きが異なるように配置されていること、
を特徴とするストレッチ枕を提供する。
【０００７】
このような構成を有する本発明のストレッチ枕では、仰臥位姿勢及び側臥位姿勢で好適に使用することができ、使用者に対して良質な睡眠体勢を提供することができる。仰臥位姿勢で使用した際には、好ましい姿勢における頭と首の相対位置を再現し、腹式呼吸及び副交感神経優位の睡眠を実現することで、腹部の引締め、代謝の改善、及びリラックス効果を与えることができる。また、側臥位姿勢で使用した際には、頚部のストレッチを好適に促進させることで、血流の向上、及び運動不足に起因する身体の種々の部位の痛みや痺れを改善することができる。
【０００８】
また、上記の本発明のストレッチ枕においては、
前記底面が、２つの長辺及び２つの短辺を有する略矩形形状であり、前記３つの支持部が、前記短辺方向に延びる略三角柱体であることが望ましい。
【０００９】
また、上記の本発明のストレッチ枕においては
前記底面の長辺寸法及び短辺寸法がそれぞれ３０〜４５ｃｍ及び２３ｃｍ〜２４ｃｍであることが望ましい。
【００１０】
また、上記の本発明のストレッチ枕においては
前記底面と前記傾斜面の最大離隔距離が５ｃｍ〜６ｃｍであることが望ましい。
【００１１】
このような構成を有する本発明のストレッチ枕では、使用者の頭及び首近傍を安定して支持することができ、更に傾斜面の傾斜角度を最適化して仰臥位姿勢及び側臥位姿勢の使用時において、使用者の頭及び首を良好な体勢に誘導することができる。
【００１２】
また、上記の本発明のストレッチ枕においては
前記３つの支持部が直接的又は間接的に接続されて一体的に構成されていることが望ましい。
【００１３】
このような構成を有する本発明のストレッチ枕では、寝姿勢の状態のまま状況に応じて仰臥位姿勢と側臥位姿勢とを容易に変更することができ、より効果的に頚部のストレッチを行うことができる。
【発明の効果】
【００１４】
本発明により、使用者の頭及び首の体勢を良好にし、かつ頚部をストレッチさせることができるストレッチ枕を提供することができる。
【図面の簡単な説明】
【００１５】
【図１】本実施径形態に係るストレッチ枕１の概要を示す模式図である。
【図２】ストレッチ枕１を構成する支持部３の構造を示す図であって、図２（ａ）は、支持部３の平面図であり、図２（ｂ）は、支持部３の側面図である。
【図３】本実施形態に係るストレッチ枕１の構造を示す図であって、図３（ａ）は、ストレッチ枕１の平面図であり、図３（ｂ）は、図３（ａ）における矢視Ａの側面図であり、図３（ｃ）は、図３（ａ）における矢視Ｂの側面図である。
【図４】仰臥位姿勢での使用を示す図であって、図４（ａ）は、従来の枕を使用した状態の模式図であり、図４（ｂ）は、ストレッチ枕１を使用した状態の模式図である。
【図５】側臥位姿勢での使用を示す図であって、図５（ａ）は、従来の枕を使用した状態の模式図であり、図５（ｂ）は、ストレッチ枕１を使用した状態の模式図である。
【発明を実施するための形態】
【００１６】
以下、図面を参照しながら、本発明に係るストレッチ枕の代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１７】
１．ストレッチ枕１の概要
図１を用いて、本実施形態に係るストレッチ枕１の概要について説明する。図１は、本実施径形態に係るストレッチ枕１の概要を示す模式図である。図１に示すとおり、本実施形態に係るストレッチ枕１は、複数の略三角柱体を組み合わせた形状を有する寝具であって、当該ストレッチ枕を使用する人間に対して良質な睡眠体勢を提供するものである。
【００１８】
仰臥位姿勢で使用した際には、好ましい立位姿勢における頭と首の相対位置を再現し、腹式呼吸及び副交感神経優位の睡眠を実現することで、腹部の引締め、代謝の改善、及びリラックス効果を与えることができる。
【００１９】
また、側臥位姿勢で使用した際には、頚部をストレッチし、首の運動を好適に促進させることで、血流の向上、及び運動不足に起因する身体の種々の部位における痛みや痺れを改善することができる。
【００２０】
なお、本実施形態では理解容易を図るため、ストレッチ枕１の幅方向をＸ、奥行方向をＹ、及び高さ方向をＺとして方向を定義する。
【００２１】
２．ストレッチ枕１の構造
次に、図２及び図３を用いて、本実施形態に係るストレッチ枕１の構造について詳細に説明する。図２（ａ）及び（ｂ）は、ストレッチ枕１を構成する支持部（クッション体）３の構造を示す図であって、図２（ａ）は、支持部３の平面図であり、図２（ｂ）は、支持部３の側面図である。また、図３（ａ）（ｂ）（ｃ）は、本実施形態に係るストレッチ枕１の構造を示す図であって、図３（ａ）は、ストレッチ枕１の平面図であり、図３（ｂ）は、図３（ａ）における矢視Ａの側面図であり、図３（ｃ）は、図３（ａ）における矢視Ｂの側面図である。
【００２２】
本実施形態に係るストレッチ枕１は、それぞれ底面５及び傾斜面７を備える略同一形状の３つの支持部３を具備し、当該３つの支持部３が、それぞれの底面５を面一とし、それぞれの傾斜面７の傾斜方向Ｄを略平行とし、隣接する支持部３の傾斜の向き（傾斜面が下がる向き）ｄが異なるように配置されていること、を特徴としている。
【００２３】
＜支持部３の構造＞
図２（ａ）及び（ｂ）に示すとおり、支持部３は方向Ｚの下方に対向する底面５と、方向Ｚの略上方に対向する傾斜面７と、方向Ｚ及び方向Ｘと略平行に立設して底面５と傾斜面７を接続する立設面９と、方向Ｚ及び方向Ｙと略平行に立設して底面５と傾斜面７を接続する２つの側面１１と、を具備して構成されている。
【００２４】
支持部３の構造についてより具体的には、底面５が、２つの長辺１３及び２つの短辺１５を有する略矩形形状であり、底面５の長辺１３の寸法Ｗ１が３０〜４５ｃｍの範囲、短辺１５の寸法Ｗ２が２３ｃｍ〜２４ｃｍの範囲で設定することが望ましい。また、底面５と傾斜面７の最大離隔距離（立設面９の高さ寸法Ｈ）が５ｃｍ〜６ｃｍの範囲で設定することが望ましい。底面５と傾斜面７の角度は、５度〜２０度であればよいが、本発明の効果をより確実に発現させるためには、５度〜１５度の範囲で設定することが望ましい。
【００２５】
支持部３を上記構造とすることで、使用者の頭及び首近傍を安定して支持することができ、更に傾斜面７の傾斜角度を最適化して仰臥位姿勢及び側臥位姿勢における使用時において、使用者の頭及び首の姿勢を良好な状態に維持することができる。
【００２６】
上記構造の支持部３は、方向Ｘ（短辺方向）に延びる略三角柱体を呈し、傾斜面７が立設面９側から対向側に下降する傾斜の向きｄを形成している。なお、本実施形態では平滑な傾斜面７を採用しているが、全体に複数の凹凸などを形成することによる規則性のあるパターンを構成した態様や、複数の面で構成して使用者に当接する部分のみ適切な傾斜を付与して構成した態様とすることもできる。
【００２７】
支持部３は、クッション性を有するクッション材で構成されており、例えば多孔質のポリウレタン等（一般的に「ウレタンフォーム」とも称する）の柔軟性及び断熱性に優れた材料で形成することが好ましく、また使用者の身体サイズや頭部重量等に応じて適宜反発力を調整することが望ましい。
【００２８】
＜ストレッチ枕１の構造＞
図３（ａ）（ｂ）（ｃ）に示すとおり、ストレッチ枕１は、３つの支持部３を直接的又は間接的に接続して一体的とすることで構成している。より具体的には、３つの支持部３の各底面５を方向Ｚの下方に対向させた状態で面一にし、かつ方向Ｘの両端に配置した支持部３の傾斜面７の傾斜の向きｄと、真中に配置した支持部３の傾斜面３の傾斜の向きｄと、を方向Ｙに対して略平行に配置しつつ対向するように、配置されている。即ち、それぞれの傾斜面７の傾斜方向Ｄが略平行であり、隣接する支持部３の傾斜の向きｄが互いに異なるように配置されている。
【００２９】
ストレッチ枕１を図３（ａ）の矢視Ａ側から見た状態では、方向Ｘの両端に配置した支持部３は立設面９が見え、真中に配置した支持部３は手前側に向って傾斜する傾斜面７が見えることになる（特に図３（ｂ）参照）。また、ストレッチ枕１を図３（ａ）の矢視Ｂ側から見た状態では、方向Ｘの両端に配置した支持部３は手前側に向って傾斜する傾斜面７が見え、真中に配置した支持部３は立設面９が見えることになる（特に図３（ｃ）参照）。
【００３０】
３つの支持部３を上記の態様で接続することにより、寝姿勢の状態のまま状況に応じて仰臥位姿勢と側臥位姿勢とを容易に変更することができ、より効果的に頚部のストレッチを行うことができる。
【００３１】
本実施形態では、方向Ｘの両端に配置した各支持部３に面取り１７を施し、使用者の顔面近傍等に対する当たりを軽減して快適性を向上している。面取り１７について具体的には、両端に配置された支持部３の立設面９上方における真中に配置された支持部３側の側面１１、傾斜面７、及び立設面９の一部に亘る切欠きである。
【００３２】
なお、隣り合う支持部３は、互いに当接する側面１１全体で接続してもよいし、一部のみを接続してもよい。例えば、底面５近傍のみで接続すれば、支持部３間で容易に屈折等の変形を行うことができ、取扱性を向上することができる。
【００３３】
また、上述したとおり３つの支持部３は、別途用意した連結ケース（図示せず）等を用いた間接的な接続としてもよい。当該連結ケースとしては、メッシュ等の生地により形成することが好ましく、このような連結態様を採用すれば、継続的な使用で反発性が低下した支持部３のみを交換する等のメンテナンスが可能となる。また、連結ケースと各支持部３を個別に分解することが可能なため、洗濯等を簡便に行うことができる。なお、連結ケースの更に外側を覆う略枕カバーを併用し、より汚れの付着を防止してもよい。
【００３４】
３．ストレッチ枕１の使用方法及び効果
続いて、図４及び図５を用いて、本実施形態に係るストレッチ枕１の使用方法及び効果について詳細に説明する。図４（ａ）及び（ｂ）は、仰臥位姿勢での使用を示す図であって、図４（ａ）は、従来の枕を使用した状態の模式図であり、図４（ｂ）は、ストレッチ枕１を使用した状態の模式図である。また、図５（ａ）及び（ｂ）は、側臥位姿勢での使用を示す図であって、図５（ａ）は、従来の枕を使用した状態の模式図であり、図５（ｂ）は、ストレッチ枕１を使用した状態の模式図である。
【００３５】
＜仰臥位姿勢での使用＞
ストレッチ枕１を仰臥位姿勢で使用する場合、基本的に真中に配置された支持部３によって頭と首を支持する。図４（ｂ）に示すとおり、傾斜の向きｄを使用者側に対向させた状態でストレッチ枕１を使用者の頭及び首（後頭部側）の下にセットし傾斜面７で頭を支持する。
【００３６】
より具体的には、使用者を仰臥位姿勢で寝かせつつ頚椎後頭間接を胸部側に所定量屈曲させた状態で、床面と頭との隙間にストレッチ枕１を傾斜の向きｄにスライドして挿入する。これによって、使用者の頚部を適度に伸展させ、該頚部背面近傍の軟部組織をストレッチさせることができる。
【００３７】
図４（ａ）に示す従来の枕１０１使用時では、従来の枕１０１が最高位近傍で使用者の頭及び首を略点で支持することに起因し、頭部下方を持ち上げて頭部上方を下げ、顎が頭頂側に移動しているのに対し、図４（ｂ）に示す本実施形態のストレッチ枕１使用時では、上述のとおり傾斜面７において素材の特性によって頭が適度に沈むことにより、脊柱管１０３が略水平な状態になり、顎を適度に引いた良好な体勢に導くことができる。
【００３８】
上記のような寝姿勢の改善により、従来の枕１０１を使用した場合に発生する頚椎の脊柱管１０３と、頭部後頭骨の大後頭孔１０５と、の双方の開口の位置ずれを正し、双方の双方の開口位置を合致させることができるため、延髄から脊髄の通りを改善することができる。例えば、腹式呼吸及び副交感神経優位の睡眠を実現すること、腹部の引締め、代謝の改善、及びリラックス効果を与えること、並びに、血流の向上、及び運動不足に起因する身体の種々の部位における痛みや痺れを改善すること等の、作用効果が期待される。
【００３９】
＜側臥位姿勢での使用＞
ストレッチ枕１を側臥位姿勢で使用する場合、基本的に両端に配置された支持部３によって頭と首を支持する。図５（ｂ）に示すとおり、傾斜の向きｄを使用者とは反対側に対向させた状態でストレッチ枕１を使用者の頭及び首の下（側頭部側）にセットし傾斜面７で頭を支持する。
【００４０】
より具体的には、使用者を側臥位姿勢で寝かせつつ頭部下方を方向Ｚの上方に浮かせた状態で、床面と頭との隙間にストレッチ枕１を傾斜の向きｄとは逆にスライドして挿入する。これによって、使用者の頚部を支持部３の立設面９上方を支点として側屈させ、該頚部側面近傍の軟部組織をストレッチさせることができる。
【００４１】
図５（ａ）に示す従来の枕１０１使用時では、従来の枕１０１が使用者の首を略水平に支持することに起因し、頚部が上側又は下側に湾曲して局所的な圧が印加されてしまったり、真っすぐな状態で側屈運動が阻害されて靭帯が骨化してしまうおそれがあるのに対し、図５（ｂ）に示す本実施形態のストレッチ枕１使用時では、傾斜面７で頭を支持することにより、頭部を頚部に対して方向Ｚの斜め下方で支持し、首本来の動き（頚椎の平行運動）を発現するストレッチ効果を得ることができる。
【００４２】
上記のような寝姿勢により、頚椎の平行運動を促進し、かつ頚部に方向Ｘの上下から圧を印加されて間接が安定し、首内部の筋肉（頸板状筋、肩甲挙筋、及び胸鎖乳突筋等）を左右同時に伸ばす相対筋ストレッチ（拮抗筋肉ストレッチ）を実現することができる。これにより、肩及び上腕を首のくびれ部分に収めることができるようになり、肩及び上腕が頭の支持から解放されて腕への血流が正常に行えるようになり、上記の作用効果も期待できる。
【００４３】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用の可能性】
【００４４】
本実施形態のストレッチ枕は、使用者の頭及び首の体勢を良好にし、かつ頚部をストレッチさせることができるものである。
【符号の説明】
【００４５】
１        ストレッチ枕
３        支持部
５        底面
７        傾斜面
９        立設面
１１      側面
１３      長辺
１５      短辺
１７      面取り
１０１    従来の枕
１０３    脊柱管
１０５    大後頭孔
Ｗ１      寸法
Ｗ２      寸法
Ｈ        寸法
Ｄ        傾斜方向
ｄ        傾斜の向き
【図１】
2020121195.tif 000003
【図２】
2020121195.tif 000004
【図３】
2020121195.tif 000005
【図４】
2020121195.tif 000006
【図５】
2020121195.tif 000007